(57)【特許請求の範囲】
【請求項１】
外部からの入射光を撮像面に導く撮像光路に、前記入射光を前記撮像面に結像させるための複数のレンズ要素をそれぞれのレンズ光軸を前記撮像光路の光路軸に一致させて配置した撮像レンズ系を有する撮像レンズ装置を備えた携帯機器において、
前記撮像レンズ装置は、
前記複数のレンズ要素のうち最も入射側にあるレンズ要素を除く複数のレンズ要素の１つは、その配置部の一側に前記光路軸と直交させて設けられた軸部材に該軸部材に垂直で且つ前記光路軸を含む面内に常にレンズ光軸が存在する状態で回動可能に支持された、複数のレンズを有する回動レンズ要素であり、
前記軸部材は、前記回動レンズ要素よりも前記撮像面側にあるレンズ要素に固定された軸位置調整機構により支持され、且つ、前記光路軸と平行な方向に移動可能であり、
前記回動レンズ要素は、当該機器が電源オン状態または撮像モードの状態であるとき前記撮像面側にあるレンズ要素よりも入射側に前記レンズ光軸を前記撮像光路の光路軸に一致させて配置される一方、電源オフ状態または撮像モード以外の状態であるとき前記軸部材の回動により１８０°反転させて撮像光路の側方に退避し、
前記複数のレンズ要素のうち前記回動レンズ要素の入射側にくるレンズ要素は、前記電源オン状態または撮像モードの状態であるとき、前記回動レンズ要素を退避回動させた後の空きスペースに移動し、
前記軸位置調整機構は、前記電源オン状態または撮像モードの状態であるときにズーム操作がなされ、前記回動レンズ要素を除く他のレンズ要素がそのレンズ間隔を調整すべく光軸方向に移動したときに、これに連動して、前記撮像面に結像される入射光による像にピントが合うように前記回動レンズ要素の位置を調整することを特徴とする携帯機器。
【請求項２】
前記電源オン状態または撮像モードの状態であるとき前記回動レンズ要素の入射側にくるレンズ要素が備えられる固定筒部材は、前記回動レンズ要素の撮像光路配置部とその側方の退避位置との両方を囲む径を有し、前記撮像光路の光路軸に沿った方向に移動する可動鏡筒内に設けられていることを特徴とする請求項１に記載の携帯機器。
【発明の詳細な説明】
【技術分野】
【０００１】
この発明は、伸縮型の撮像レンズ装置を備えた撮像機能を有する携帯機器に関する。
【背景技術】
【０００２】
カメラ等の撮像機能を有する携帯機器に実装される撮像レンズ装置として、外部からの入射光を機器本体内の撮像面に導く撮像光路に、前記入射光を前記撮像面に結像させるための複数のレンズ要素をそれぞれのレンズ光軸を前記撮像光路の光路軸に一致させて配置した撮像レンズ系を備えたものがある。
【０００３】
この種の撮像レンズ装置は、複数のレンズ要素を撮像光路の光路軸方向に配置して撮像レンズ系を構成したものであるため、その全長が長く、前記携帯機器の外部に大きく突き出す。
【０００４】
そのため、前記複数のレンズ要素のうち、最も入射側のレンズ要素よりも後側のレンズ要素の１つを、撮像光路中の配置部とその側方の位置とに移動可能に設けることにより、撮像を行なう使用時に、前記移動可能に設けられたレンズ要素（以下、移動レンズ要素という）よりも入射側のレンズ要素を前方に移動させ、前記移動レンズ要素を前記撮像光路の配置部に移動させて撮像レンズ系を構成し、撮像を行なわない不使用時は、前記移動レンズ要素を前記撮像光路の側方に退避移動させ、前記入射側のレンズ要素を前記回動レンズ要素を退避移動させた後の空きスペースに後退移動させて縮小できるようにした伸縮型の撮像レンズ装置が提案されている（特許文献１参照）。
【特許文献１】特開２０００―２３００２号公報
【発明の開示】
【発明が解決しようとする課題】
【０００５】
しかし、従来の伸縮型撮像レンズ装置は、撮像光路の側方に退避させた移動レンズ要素を再び前記撮像光路の配置部に移動させて撮像レンズ系を構成する際に、前記撮像光路の光路軸に前記移動レンズ要素のレンズ光軸を一致させるのが難しく、前記撮像レンズ系の精度に狂いが生じることがある。
【０００６】
この発明は、撮像光路の側方に退避させたレンズ要素を、そのレンズ光軸を前記撮像光路の光路軸に容易に一致させるとともに、収納性が高く、また、精度の高い撮像レンズ系を構成することができる携帯機器を提供することを目的としたものである。
【課題を解決するための手段】
【０００７】
請求項１記載の発明は、外部からの入射光を撮像面に導く撮像光路に、前記入射光を前記撮像面に結像させるための複数のレンズ要素をそれぞれのレンズ光軸を前記撮像光路の光路軸に一致させて配置した撮像レンズ系を有する撮像レンズ装置を備えた携帯機器において、前記撮像レンズ装置は、前記複数のレンズ要素のうち最も入射側にあるレンズ要素を除く複数のレンズ要素の１つは、その配置部の一側に前記光路軸と直交させて設けられた軸部材に該軸部材に垂直で且つ前記光路軸を含む面内に常にレンズ光軸が存在する状態で回動可能に支持された、複数のレンズを有する回動レンズ要素であり、前記軸部材は、前記回動レンズ要素よりも前記撮像面側にあるレンズ要素に固定された軸位置調整機構により支持され、且つ、前記光路軸と平行な方向に移動可能であり、前記回動レンズ要素は、当該機器が電源オン状態または撮像モードの状態であるとき前記撮像面側にあるレンズ要素よりも入射側に前記レンズ光軸を前記撮像光路の光路軸に一致させて配置される一方、電源オフ状態または撮像モード以外の状態であるとき前記軸部材の回動により１８０°反転させて撮像光路の側方に退避し、前記複数のレンズ要素のうち前記回動レンズ要素の入射側にくるレンズ要素は、前記電源オン状態または撮像モードの状態であるとき、前記回動レンズ要素を退避回動させた後の空きスペースに移動し、前記軸位置調整機構は、前記電源オン状態または撮像モードの状態であるときにズーム操作がなされ、前記回動レンズ要素を除く他のレンズ要素がそのレンズ間隔を調整すべく光軸方向に移動したときに、これに連動して、前記撮像面に結像される入射光による像にピントが合うように前記回動レンズ要素の位置を調整することを特徴とする。
【００１０】
請求項２記載の発明は、上記請求項１記載の発明において、前記電源オン状態または撮像モードの状態であるとき前記回動レンズ要素の入射側にくるレンズ要素が備えられる固定筒部材は、前記回動レンズ要素の撮像光路配置部とその側方の退避位置との両方を囲む径を有し、前記撮像光路の光路軸に沿った方向に移動する可動鏡筒内に設けられていることを特徴とする。
【発明の効果】
【００１３】
本発明によれば、撮像光路の側方に退避させたレンズ要素を、そのレンズ光軸を前記撮像光路の光路軸に容易に一致させるとともに、収納性が高く、また、精度の高い撮像レンズ系を構成することができる。
【発明を実施するための最良の形態】
【００１９】
図１〜図３はこの発明の一実施例を示しており、図１及び図２は撮像機能を有する携帯機器の使用状態の外観図及び断面図、図３は前記携帯機器の不使用状態の断面図である。
【００２０】
この実施例の携帯機器は、薄型デジタルカメラであり、図１〜図３に示したように、前後面が略矩形状に形成された薄型ケースからなる機器本体（以下，カメラ本体という）１に、その前面から出没する撮像レンズ装置２が設けられ、前記カメラ本体１内の後面側に、ＣＣＤ（固体撮像素子）３が、その撮像面３ａを前記撮像レンズ装置２に対向させて配置されている。
【００２１】
なお、前記カメラ本体１の前面には、セルフタイマランプ４、光学ファインダ窓５、ストロボ発光部６等が設けられ、後面には、液晶モニタディスプレイ７と、光学ファインダ接眼部、モード切替キー及びズーミングキー（いずれも図示せず）等が設けられており、また上面には電源キー８とシャッタボタン９が設けられている。
【００２２】
さらに、図示しないが、前記カメラ本体１の底面には、記録媒体として用いられるメモリカードを着脱するためのメモリカードスロット、パーソナルコンピュータ等の外部機器に接続するためのシリアルインタフェースコネクタ等が設けられている。
【００２３】
前記撮像レンズ装置２は、焦点距離を無段階に可変するズームレンズ装置であり、外部からの入射光を撮像面に導く撮像光路１０に、前記入射光を前記ＣＣＤ３の撮像面３ａに結像させるための複数のレンズ要素、例えば第１、第２、第３の３つのレンズ要素１１，１２，１３を、撮像光路１０の入射側から順に、それぞれのレンズ光軸（図示せず）を前記撮像光路１０の光路軸１０ａに一致させて配置した撮像レンズ系を有している。
【００２４】
前記３つのレンズ要素１１，１２，１３はそれぞれ、両端が開放する円筒状のレンズ筒１１ａ，１２ａ，１３ａ内に配置された複数枚のレンズ１１ｂ，１２ｂ，１３ｂからなっており、これらのレンズ要素１１，１２，１３のうち、最も後側（ＣＣＤ３側）の第３のレンズ要素１３の複数枚のレンズ１３ｂはその間隔を調整可能に設けられている。
【００２５】
すなわち、前記第３のレンズ要素１３のレンズ筒１３ａは、複数の筒体をスライド可能に嵌合した伸縮筒とされ、この第３のレンズ要素１３の複数枚のレンズ１３ｂは、前記複数の筒体にそれぞれ支持されており、図示しないレンズ筒伸縮機構により前記レンズ筒１３ａを伸縮されてレンズ間隔を調整される。
【００２６】
そして、前記３つのレンズ要素１１，１２，１３のうち、最も入射側の第１のレンズ要素１１よりも後側のレンズ要素の１つ、例えば前記第１のレンズ要素１１の次の第２のレンズ要素１２は、その配置部の一側に前記光路軸１０ａと直交させて設けられた軸部材１４に、前記軸部材１４に垂直で且つ前記光路軸１０ａを含む面内に常にレンズ光軸が存在する状態で回動可能に支持されており、この第２のレンズ要素（以下、回動レンズ要素という）１２よりも入射側の第１のレンズ要素（以下、入射側レンズ要素という）１１は、そのレンズ光軸を前記撮像光路１０の光路軸１０ａに一致させた状態を保って前記光路軸１０ａ方向に移動可能に設けられている。
【００２７】
また、前記回動レンズ要素１２を支持する軸部材１４は、この軸部材１４を前記光路軸１０ａと平行な方向に移動させる軸位置調整機構１５に支持されており、不使用時、つまりデジタルカメラを非撮像状態にしたときに、この軸位置調整機構１５に設けられた図示しない軸部材回転機構により１８０°の回転角で回転され、前記回動レンズ要素１２を、前記撮像光路の側方に退避回動させる。
【００２８】
なお、前記軸位置調整機構１５は、例えば前記後側レンズ要素１３の伸縮レンズ筒１３ａを構成する複数の筒体のうちの最も外側の固定筒体に固定されている。
【００２９】
この撮像レンズ装置２は、撮像を行なう使用時に、前記撮像光路１０の前記回動レンズ要素１２の配置部の前方に前記入射側レンズ要素１１を移動され、前記回動レンズ要素１２を前記撮像光路１０の配置部に回動されて撮像レンズ系を構成し、撮像を行なわない不使用時に、前記回動レンズ要素１２を前記撮像光路１０の側方に退避回動され、前記入射側レンズ要素１１を前記回動レンズ要素１２を退避回動させた後の空きスペースに移動されて縮小されるものであり、前記回動レンズ要素１２は、不使用時に、前記軸部材１４の１８０°回転により、その入出射側を逆向きにした反転状態に退避回動される。
【００３０】
また、この撮像レンズ装置２は、前記カメラ本体１内に設けられた固定筒１７と、この固定筒１７内に前記撮像光路１０の光路軸１０ａ方向にスライド可能に嵌装された可動鏡筒１８とを備えている。
【００３１】
前記固定筒１７と可動鏡筒１８は、前記光路軸１０ａに対して偏心し、且つ前記回動レンズ要素１２の撮像光路配置部とその側方の退避位置との両方を、その間の軸部材１４及び軸位置調整機構１５等を含んで囲む径を有する円筒体からなっており、さらに前記可動鏡筒１８は、複数の円筒体、例えば前後２つの円筒体１８ａ，１８ｂを互いにスライド可能に嵌合した伸縮筒からなっている。
【００３２】
そして、前記固定筒１７は、前記カメラ本体１内に、この固定筒１７の前端を前記カメラ本体１の前面に設けられた可動鏡筒突出口に一致させ、この固定筒１７の後端を例えばＣＣＤ支持基板１６に固定して配置されており、前記回動レンズ要素１２の後側の第３のレンズ要素（以下、後側レンズ要素という）１３は、前記固定筒１７内に、この後側レンズ要素１３の後端から前記ＣＣＤ３の撮像面３ａまでの距離を予め定めた値に設定して固定配置されている。
【００３３】
また、前記可動鏡筒１８の前後２つの円筒体１８ａ，１８ｂはそれぞれ、前記固定筒１７よりも僅かに短い長さを有しており、この可動鏡筒１８は、図示しないカム機構により、使用時に、後側の円筒体１８ｂを前記固定筒１７の前方に突出されるとともに、前側筒体１８ａを前記後側筒体１８ｂの前方に突出されて伸長され、不使用時に、縮小されて前記固定筒１７内に収容される。
【００３４】
さらに、この可動鏡筒１８の前側筒体１８ａは、その前端を閉塞する前面部を有しており、前記入射側レンズ要素１１は、前記可動鏡筒１８の前側筒体１８ａ内に、この前側筒体１８ａの前面部に前記光路軸１０ａに中心を一致させて設けられた入射開口１９に対向させて固定配置されている。
【００３５】
なお、図では省略しているが、前記可動鏡筒１８の前側筒体１８ａの前面部の内面には、前記可動鏡筒１８を伸長させたときに自動的に前記入射開口１９を開放し、前記可動鏡筒１８を縮小させたときに自動的に前記入射開口１９を閉鎖して前記入射側レンズ要素１１を保護するレンズカバーが設けられている。
【００３６】
そして、前記撮像レンズ装置２は、前記使用時の可動鏡筒１８の後端部（後側筒体１８ｂの後端部）よりも後側の部分を前記カメラ本体１内に収容されて、使用時に、その後端部よりも前側の部分をカメラ本体１外に突出され、不使用時に、その略全体をカメラ本体１内に引き込み格納されるように前記カメラ本体１に実装されている。
【００３７】
上記デジタルカメラは、前記可動鏡筒１８をカメラ本体１の前方に突出させて撮像を行なうものであり、電源オン状態で図示しないモード切替キーにより撮像モードを選択すると、前記撮像レンズ装置２の可動鏡筒１８が図示しないカム機構により自動的に伸長されてカメラ本体１の前方に突出され、この可動鏡筒１８内に設けられた入射側レンズ要素１１が前記撮像光路１０の回動レンズ要素１２の配置部の前方に移動されるとともに、それに追従して前記軸部材１４が図示しない軸部材回転機構により自動的に回転され、前記回動レンズ要素１２が前記撮像光路１０の配置部に回動されて、図２に示したように撮像レンズ系が構成される。
【００３８】
そして、被写体の撮像に際して、図示しないズーミングキーを操作すると、前記可動鏡筒１８が自動的に伸縮されて前記入射側レンズ要素１１が前後に移動されるとともに、それに追従して後側レンズ要素１３の図示しないレンズ筒伸縮機構によるレンズ間隔調整と、前記軸位置調整機構１５による前記回動レンズ要素１２の位置調整が行なわれ、前記撮像レンズ系の焦点距離が、前記ＣＣＤ３の撮像面３ａにピントが合うように自動調整される。
【００３９】
また、撮像を行なわない不使用時は、前記モード切替キーによる撮像モード以外（モニタディスプレイ７への撮像済み画像の表示、外部機器への撮像済み画像データの出力など）のモードの選択または電源キー８のオフにより、前記軸部材１４が前記使用時の回転方向とは逆方向に自動的に回転され、前記回動レンズ要素１２が前記撮像光路１０の側方に退避回動されるとともに、それに追従して前記可動鏡筒１８がカメラ本体１内（固定筒１７内）に引き込まれ、前記入射側レンズ要素１１が前記回動レンズ要素１２を退避回動させた後の空きスペースに移動されて、前記撮像レンズ装置２が図３のように縮小される。
【００４０】
なお、この不使用時の回動レンズ要素１２の退避回動は、前記可動鏡筒１８を最も長く伸長させることにより、前記入射側レンズ要素１１を、前記撮像光路１０の回動レンズ要素１２の配置部から、前記回動レンズ要素１２の回動の障害にならないように充分に離間させて行なわれる。
【００４１】
前記撮像レンズ装置２は、撮像レンズ系を構成する複数のレンズ要素１１，１２，１３のうち、最も入射側のレンズ要素１１よりも後側のレンズ要素の１つ１２を、その配置部の一側に撮像光路１０の光路軸１０ａと直交させて設けられた軸部材１４に、前記軸部材１４に垂直で且つ前記光路軸１０ａを含む面内に常にレンズ光軸が存在する状態で回動可能に支持させ、この回動レンズ要素１２よりも入射側のレンズ要素１１を、前記光路軸１０ａ方向に移動可能に設けることにより、使用時に、前記撮像光路１０の前記回動レンズ要素１２の配置部の前方に前記入射側のレンズ要素１１を移動され、前記回動レンズ要素１２を前記撮像光路１０の配置部に回動されて前記撮像レンズ系を構成し、不使用時に、前記回動レンズ要素１２を前記撮像光路１０の側方に退避回動され、前記入射側のレンズ要素１１を前記回動レンズ要素１２を退避回動させた後の空きスペースに移動されて縮小されるようにしたものであるため、前記撮像光路１０の側方に退避させた前記回動レンズ要素１２を、そのレンズ光軸を前記撮像光路１０の光路軸１０ａに一致させて前記撮像光路１０の配置部に戻し、高精度の撮像レンズ系を構成することができる。
【００４２】
すなわち、前記回動レンズ要素１２は、前記撮像光路１０の配置部の一側に撮像光路１０の光路軸１０ａと直交させて設けられた軸部材１４を中心として、前記軸部材１４に垂直で且つ前記光路軸１０ａを含む面内に常にレンズ光軸が存在する状態で回動するため、軸部材１４から前記回動レンズ要素１２のレンズ光軸までの距離は常に一定であり、したがって、前記撮像光路１０の側方に退避させた回動レンズ要素１２を、そのレンズ光軸を前記撮像光路１０の光路軸１０ａに一致させて前記撮像光路１０の配置部に戻すことができる。
【００４３】
また、前記撮像レンズ装置２は、前記撮像光路１０の入射側から順に配置された第１、第２、第３の３つのレンズ要素１１，１２，１３を備え、これらのレンズ要素のうち、前記第２のレンズ要素１２を前記軸部材１４に支持させて退避回動可能に設け、前記第１のレンズ要素を前記撮像光路１０の光路軸１０ａ方向に移動可能に設けた構成としているため、不使用時に、前記第２のレンズ要素１２を前記撮像光路１０の側方に退避回動させ、前記第１のレンズ要素１１を前記第２のレンズ要素１２を退避回動させた後の空きスペースに移動させた状態に縮小することができる。
【００４４】
そして、前記撮像レンズ装置２では、前記軸部材１４を１８０°回転させることにより、前記回動レンズ要素（第２のレンズ要素）１２を、その入出射側を逆向きにした反転状態に退避回動させるようにしているため、この回動レンズ要素を、撮像光路１０の配置部から前方（入射側）に突出しない状態に退避させることができ、したがって、不使用時に、撮像レンズ装置２をより短く縮小することができる。
【００４５】
なお、上記実施例では、前記回動レンズ要素１２の長さ方向の中間部付近を軸部材１４に支持させることにより、この回動レンズ要素を、前記撮像光路１０の配置部よりも後方の位置に退避させるようにしているが、前記回動レンズ要素１２は、その前端部を前記軸部材１４に支持させて、前記撮像光路１０の配置部の真横付近に退避させるようにしてもよい。
【００４６】
さらに、前記撮像レンズ装置２では、前記回動レンズ要素１２よりも入射側のレンズ要素１１を、前記回動レンズ要素１２の撮像光路配置部とその側方の退避位置との両方を囲む径を有し、前記撮像光路１０の光路軸１０ａに沿った方向に移動する可動鏡筒１８内に設けているため、不使用時に、前記撮像光路１０の側方に退避回動された回動レンズ要素１２を前記可動鏡筒１８内に収容して縮小することができる。
【００４７】
また、前記デジタルカメラは、撮像光路１０に配置された複数のレンズ要素１１，１２，１３のうち、最も入射側のレンズ要素１１よりも後側のレンズ要素の１つ１２を、その配置部の一側に前記撮像光路１０の光路軸１０ａと直交させて設けられた軸部材１４に、前記軸部材１４に垂直で且つ前記光路軸１０ａを含む面内に常にレンズ光軸が存在する状態で回動可能に支持させ、この回動レンズ要素よりも入射側のレンズ要素１１を、前記撮像光路１０の回動レンズ要素配置部とその側方の回動レンズ要素退避位置との両方が内部に入り込む径を有し、前記撮像光路１０の光路軸１０ａに沿った方向に移動する可動鏡筒１８内に設けてなり、使用時に、前記可動鏡筒１８の入射側への移動により前記撮像光路１０の前記回動レンズ要素１２の配置部の前方に前記入射側のレンズ要素１１を移動され、前記回動レンズ要素１２を前記撮像光路１０の配置部に回動されて撮像レンズ系を構成し、不使用時に、前記回動レンズ要素１２を前記撮像光路１０の側方に退避回動され、前記可動鏡筒１８の後退移動により前記入射側のレンズ要素１１を前記回動レンズ要素１２を退避回動させた後の空きスペースに移動されて縮小される撮像レンズ装置２を備え、前記撮像レンズ装置２を、前記使用時の前記可動鏡筒１８の後端部よりも後側の部分をカメラ本体１内に収容させて前記カメラ本体１に実装したものであるため、不使用時に、前記カメラ本体１外への前記撮像レンズ装置２の突出長さを小さくして容易に携帯することができる。
【００４８】
さらに、このデジタルカメラは、前記撮像レンズ装置２の可動鏡筒１８を、使用時に、その後端部よりも前側の部分をカメラ本体１外に突出され、不使用時に、その略全体を前記カメラ本体１内に引き込み格納されるように設けているため、不使用時に、前記カメラ本体１の外面（前面）をほとんどフラットにしてさらに容易に携帯することができる。
【００４９】
なお、上記実施例では、前記撮像レンズ装置２の可動鏡筒１８を、２つの円筒体１８ａ，１８ｂをスライド可能に嵌合した２段伸縮筒としているが、可動鏡筒１８は、２つまたはそれ以上の円筒体をスライド可能に嵌合した多段伸縮筒でも、また、１つの円筒体からなる非伸縮筒でもよい。
【００５０】
また、上記実施例の撮像レンズ装置２は、撮像光路１０の入射側から順に配置された第１、第２、第３の３つのレンズ要素１１，１２，１３のうち、第２のレンズ要素１２を軸部材１４に支持させて退避回動可能に設けたものであるが、最も後側の第３のレンズ要素１３を前記撮像光路１０の光路軸１０ａと直交させて設けた軸部材に支持させて退避回動可能に設け、それよりも入射側の第１と第２のレンズ要素１１，１２を、前記第２のレンズ要素１２を前記第３の回動レンズ要素１３を退避回動させた後の空きスペースに収容するように後退移動させるようにしてもよく、その場合は、前記第１と第２のレンズ要素１１，１２の両方の後退位置の側方のスペース内に前記第３のレンズ要素１３を退避させることにより、不使用時に、撮像レンズ装置２を短く縮小することができるため、前記第３のレンズ要素１３の回動角は９０°程度でもよい。
【００５１】
さらに、上記実施例の撮像レンズ装置２は、最も後側の第３のレンズ要素１３を、複数枚のレンズ１３ｂを間隔調整可能に設けた構成としているが、この第３のレンズ要素１３は、１枚のレンズを、前記撮像レンズ系の焦点距離をＣＣＤ３の撮像面３ａにピントが合うように調整可能に設けたものでもよい。
【００５２】
また、上記実施例の撮像レンズ装置２は、前記第１、第２、第３の３つのレンズ要素１１，１２，１３を備えたものであるが、撮像レンジ系を構成するレンズ要素の数は２つでも、あるいは３つ以上でもよい。
【００５３】
また、上記実施例の携帯機器は薄型デジタルカメラであるが、この発明は、他の外形のデジタルカメラ、感光性フィルム面を撮像面とする銀鉛カメラ、デジタルカメラ付き携帯電話機等の撮像機能を有する携帯機器にも適用することができる。
【図面の簡単な説明】
【００５４】
【図１】この発明の一実施例を示す撮像機能を有する携帯機器の使用状態の外観図。
【図２】前記携帯機器の使用状態の断面図。
【図３】前記携帯機器の不使用状態の断面図。
【符号の説明】
【００５５】
１…機器本体（カメラ本体）、２…撮像レンズ装置、３…ＣＣＤ、３ａ…撮像面、１０…撮像光路、１０ａ…光路軸、１１，１２，１３…レンズ要素、１４…軸部材、１８…可動鏡筒。
【図１】
0004731110.tif 000002
【図２】
0004731110.tif 000003
【図３】
0004731110.tif 000004